(57)【要約】【課題】コンクリート製のブロックと木製の表面材が一体化しているので、既設の擁壁には適用できないという課題があった。【解決手段】三個の擁壁装飾用ブロック材１０は接合面１１，１２および接合面１３，１４に挟まれた頂点が一点に集合するように配置され、それぞれの擁壁装飾用ブロック材１０の接合面１１は隣接する他の擁壁装飾用ブロック材１０の接合面１２と当接している。また、三つの当接面において接合溝１１ａと接合溝１２ａ同士がが対峙して一直線となって一体化し、三つの略板状の空間２１ａ〜２１ｃを形成している。上記略板状の空間２１ａ〜２１ｃに対してそれぞれ略板状の接合片２０ａ〜２０ｃを嵌入する。これにより、三つの擁壁装飾用ブロック材１０は互いに当接するように配設された後で三つの接合片２０ａ〜２０ｃを嵌入させたことによって完全に固定されたことになる。【選択図】　図２
2004108067.tif 000002
【特許請求の範囲】
【請求項１】
長手方向と厚み方向と幅方向に所定の長さを有する長尺状の棒状部材の両端に、
厚み方向と平行であって互いに１２０度の角度で交わる接合面を有する角部を形成するとともに、
各接合面には当該接合面と直交しつつ当該棒状部材の厚み方向と平行な接合溝を形成し、
三つの上記棒状部材を互いに突き当てたときに各接合面同士が密着しつつ上記接合溝は互いに対面するように形成していることを特徴とする擁壁装飾用ブロック材。
【請求項２】
長手方向と厚み方向と幅方向に所定の長さを有する長尺状の棒状部材の両端に、
厚み方向と平行であって互いに９０度の角度で交わる接合面を有する角部を形成するとともに、
各接合面には当該接合面と直交しつつ当該棒状部材の厚み方向と平行な接合溝を形成し、
四つの上記棒状部材を互いに突き当てたときに各接合面同士が密着しつつ上記接合溝は互いに対面するように形成していることを特徴とする擁壁装飾用ブロック材。
【発明の詳細な説明】
【０００１】
【発明の属する技術分野】
本発明は、擁壁面を装飾する擁壁装飾用ブロック材に関する。
【０００２】
【従来の技術】
従来、この種の擁壁装飾用ブロック材として、コンクリート製のブロックに表面材としての木材を接合させたものが知られている（例えば、特許文献１参照。）。
同文献において、コンクリート製のブロックに表面材としての木材を接合させることにより、擁壁としての本来的な機能、すなわち擁壁背面法線方向からの圧力を吸収し擁壁前面の安全を確保する機能をコンクリート製のブロックによって持たせつつ、表面には丸太等の木材を用いることにより通行者等に自然な景観を与える装飾機能とを兼ね備えている。さらに、ブロック本体前面と表面材との間に排水路を設置することにより水が停滞すること防止し表面木材の腐食を抑制している。
【０００３】
【特許文献１】
特開平１１−８１３４７号公報
【０００４】
【発明が解決しようとする課題】
上述した従来の擁壁装飾用ブロック材においては、コンクリート製のブロックと木製の表面材が一体化している。
従って、既設の擁壁があって表面に装飾のみを付加しようとする場合に適用することができない。敢えて適用すれば二重にコンクリート製の擁壁を形成することなり作業、コスト等の無駄が発生する。さらに擁壁の前に歩道等があった場合には本来不要なコンクリート製のブロック本体部の厚みにより歩道等の幅を減少させる課題があった。
【０００５】
また、ブロック本体前面と表面材との間に排水路を設置することにより水が停滞すること防止し表面木材の腐食が抑制されても、依然コンクリート製の擁壁本体の寿命は装飾表面材の寿命長く、その場合擁壁管理者は表面材のみの交換を欲するが、先願発明は本体と表面材が一体化しているため上述と同様適用することができない課題があった。
さらに、新設の擁壁であっても種々の条件によりブロックにより擁壁を積み上げる建造方法を選択できない場合にも適用できない課題があった。
【０００６】
本発明は、上記課題にかんがみてなされたもので、新設、既設を問わず簡易に擁壁表面に装飾面を付加することのできる擁壁装飾用ブロック材を提供することを目的とする。
【０００７】
【課題を解決するための手段】
上記目的を達成するため、請求項１にかかる発明は、長手方向と厚み方向と幅方向に所定の長さを有する長尺状の棒状部材の両端に、厚み方向と平行であって互いに１２０度の角度で交わる接合面を有する角部を形成するとともに、各接合面には当該接合面と直交しつつ当該棒状部材の厚み方向と平行な接合溝を形成し、三つの上記棒状部材を互いに突き当てたときに各接合面同士が密着しつつ上記接合溝は互いに対面するよう構成してある。
【０００８】
上記のように構成した請求項１にかかる発明においては、三つの棒状部材を互いに角部同士で突き当てる。各角部は互いに１２０度の角度で交わる接合面を有しているので、三つの棒状部材はほぼ隙間なく密着する。この状態で、それぞれの接合面に形成している接合溝は密着する接合面の接合溝と対面し、同接合溝は接合面と直交するように形成しているので対面した接合溝は互いに連通する直線上の細幅の溝を形成する。この細幅の溝は都合三つ形成され、厚み方向から同溝に入りうる平板状の接合片を嵌入させる。各接合片は、各棒状部材の先端で逆ハの字を形成することになり、いずれの棒状部材も他の棒状部材と拘束されて外れなくなる。
【０００９】
このようにして三つの棒状部材は互いに１２０度の角度で突き当たる状態で固定されるので、同様に他の端部で他の棒状部材を固定していくと、擁壁面などに亀甲模様の装飾面を形成する。
また、請求項２にかかる発明は、長手方向と厚み方向と幅方向に所定の長さを有する長尺状の棒状部材の両端に、厚み方向と平行であって互いに９０度の角度で交わる接合面を有する角部を形成するとともに、各接合面には当該接合面と直交しつつ当該棒状部材の厚み方向と平行な接合溝を形成し、四つの上記棒状部材を互いに突き当てたときに各接合面同士が密着しつつ上記接合溝は互いに対面するように構成してある。
【００１０】
上記のように構成した請求項２にかかる発明においては、四つの棒状部材が互いに端部を突き当てて固定され、同様に他の端部で他の棒状部材を固定していくと、擁壁面などに升目模様の装飾面を形成する。
ここで、上記接合面は隣接する擁壁装飾用ブロックと当接できればよく、その形態は平面に限られるものではない。従って、当接時の摩擦力を確保するために凹凸を形成してもよいし、組み立ての際の位置決めに供されるような大きめの凸部と凹部とを有してもよい。
【００１１】
さらに、上記接合溝は互いに対面した時に連通したときに接合片が嵌合できればよく、その形状は直方体に限られるものではない。従って、接合面の開口端から奥に向かうにつれて幅広となるように
上記擁壁装飾用ブロック材の中央に向かって膨らみをもたせ嵌合する接合片を抜けにくくしてもよい。この場合は、接合片も接合溝に合った形状とする。
また、接合溝は各接合面に一個に限られるものではなく、個数を増やし接合強度を増加させてもよい。
【００１２】
【発明の効果】
以上説明したように本発明は、それぞれは単純な形状の棒状部材を、板状の接合片だけで順次連結させていくことにより、容易に擁壁などに装飾面を形成することが可能な擁壁装飾用ブロック材を提供することができる。
【００１３】
【発明の実施の形態】
ここでは、下記の順序に従って本発明の実施の形態について説明する。
（１）擁壁装飾用ブロック材の構成：
（２）擁壁装飾用ブロック材の連結：
（３）連結よる装飾面の形成：
（４）他の実施形態：
（１）擁壁装飾用ブロック材の構成：
図１に示す擁壁装飾用ブロック材１０において、擁壁装飾用ブロック材１０は六角柱の棒状部材からなり、表面と裏面、両側面、一対の角部とを有している。角部には互いに１２０度の角度で交わる接合面１１，１２および接合面１３，１４が形成されている。それぞれの接合面１１，１２および接合面１３，１４は棒状部材の中心線上で交わり、左右均等な傾斜面を形成している。従って、側面１５，１６と各接合面１１〜１４とが交わる部分でも１２０度の角度となっている。
【００１４】
接合面１１〜１４には、接合面における幅方向の中央位置に、当該接合面と直交するとともに厚み方向に平行となる接合溝１１ａ〜１４ａを形成してある。各接合溝１１ａ〜１４ａは細幅で所定の深さとなるように形成されており、この深さの二倍で同幅と略同等の厚みの接合片２０ａ〜２０ｃが別途用意されている。図１に示す上記形状からなるかかる擁壁装飾用ブロック１０の上記接合面１１〜１４はすべて合同な長方形であるため、三つの擁壁装飾用ブロック１０を互いに上記接合面１１〜１４同士で当接させれば、各当接面は完全に一致して重なり合う。これにより、作業者は組み立ての際ブロックの方向性に気を遣う必要はなく簡単に組み立てることができる。さらに、接合溝１１ａ〜１４ａは一致して重なり合う上記接合面１１〜１４の中央位置から各当接面と垂直に形成されているため、上記接合面１１〜１４を当接させれば、自ずから接合溝１１ａ〜１４ａは各接合面の中央位置にて対峙し一体となった略板状の空間を形成する。
【００１５】
（２）擁壁装飾用ブロック材の連結：
図２は、図１に示す擁壁装飾用ブロック材１０を３個連結する様子を示す斜視図である。
図２において、三個の擁壁装飾用ブロック材１０は接合面１１，１２および接合面１３，１４に挟まれた頂点が一点に集合するように配置され、それぞれの擁壁装飾用ブロック材１０の接合面１１は隣接する他の擁壁装飾用ブロック材１０の接合面１２と当接している。
【００１６】
また、三つの当接面において接合溝１１ａと接合溝１２ａ同士がが対峙して一直線となって一体化し、三つの略板状の空間２１ａ〜２１ｃを形成している。
この状態で、作業者などが上記略板状の空間２１ａ〜２１ｃに対してそれぞれ略板状の接合片２０ａ〜２０ｃを嵌入する。このとき、互いに隣接している一対の擁壁装飾用ブロック材１０同士だけをみると、接合片２０は長さ方向に向かって抜けてしまうことを妨げないが、この抜け方向への移動は残りの一つの擁壁装飾用ブロック材１０との間に嵌入された接合片２０が妨げている。三つの擁壁装飾用ブロック材１０におけるすべての組において同様の関係が形成されているので、三つの擁壁装飾用ブロック材１０は互いに当接するように配設された後で三つの接合片２０ａ〜２０ｃを嵌入させたことによって完全に固定されたことになる。なお、分離するためには厚み方向に移動させる場合を除き、三つの接合片２０ａ〜２０ｃを剪断する必要があるが、接合面１１，１２が密着している状態での剪断に要する力は非常に大きく、比較的剪断強度の少ない木材であっても接合片２０としての使用に耐え得る強度が得られる。また、簡易な構造であっても固定力は非常に大きいといえる。
【００１７】
このようにして、木材を接合片に用いた場合は人工物を全く表面に露出させることなく装飾面を形成することができる。ただし、上記接合片は木材に限られるわけではなく、むろん金属、セラミック等の高強度材を使用してもよいし、上記高強度材で接合した後に表面から木材で隠すなどしてもよい。
（３）連結よる装飾面の形成：
図３は、図２に示す連結を繰り返し行い装飾面５０が形成された態様を示す。本図において、各擁壁装飾用ブロック材１０はその両端において図２に示すように連結され、正六角形のセル状に張り巡らされた亀甲模様の装飾面５０を形成する。
【００１８】
擁壁４０自体は、山３０に設けられた歩道７０の端において崖崩れを防止して歩行者等の安全を確保している。上記擁壁装飾用ブロック材１０は土台６０上で擁壁４０に沿う態様で組み付けられ、上記亀甲模様の装飾面を形成している。
図２において擁壁装飾用ブロック材１０はすべて互いに１２０度の角度をもって連結され、かつ全て同一形状の擁壁装飾用ブロック材１０によって構成されるため、装飾面５０は一辺の長さが全て等しく全ての内角が１２０度の正六角形が隣接して整列する形態となる。このように形成された装飾面５０は、擁壁装飾用ブロック材１０の有する木質感が与える自然な印象および幾何学的に整然と配置された模様により歩行者等に心地よさを与えることができる。
【００１９】
（４）他の実施形態：
図４に示す擁壁装飾用ブロック材１１０において、擁壁装飾用ブロック材１０材とほぼ同様の形態をしている。ただし、図１の本実施形態では全ての側面は互いに１２０度で交差していたが、図４に示す擁壁装飾用ブロック材１１０においては接合面１１１，１１２および接合面１１３，１１４とが９０度で交差し、側面１５，側面１６と接合面１１１〜１１４とが１３５度で交差している点で相違する。
【００２０】
従って、本実施形態においては隣接するとの接合の態様も異なってくる。すなわち、９０度に配向された４個の擁壁装飾用ブロック材１１０の頂角が一点にて集合されることにより接合部は隙間なく壁装飾用ブロック材１１０によって　敷き詰められることとなる。さらに、図５に示すように各擁壁装飾用ブロック材１１０は互いに９０度の角度をもって連結され、かつ全て同一形状の擁壁装飾用ブロック材１１０によって構成されるため、一辺の長さが全て等しく全ての内角が９０度の正方形が隣接する形態となる。
【００２１】
本実施形態においても同様に土台６０上で擁壁４０に沿う態様で組み付けられて装飾面１５０を形成するが、前述した実施形態とは相違する格子模様を擁壁面に付すことが可能となる。
【図面の簡単な説明】
【図１】本発明にかかる擁壁装飾用ブロック材を示す正面図である。
【図２】本発明にかかる擁壁装飾用ブロック材が連結される様子を示す斜視図である。
【図３】擁壁装飾用ブロック材により装飾面が形成される様子示す斜視図である。
【図４】本発明にかかる擁壁装飾用ブロック材を示す正面図である。
【図５】擁壁装飾用ブロック材により装飾面が形成される様子示す斜視図である。
【符号の説明】
１０，１１０…ブロック材
１１〜１４…接合面
１１ａ〜１４ａ…接合溝
１１１ａ〜１１４ａ…接合溝
２１ａ〜２１ｃ…接合溝
２０ａ〜２０ｃ…接合片
４０…擁壁
５０，１５０…装飾面
６０…土台
７０…歩道
【図１】
2004108067.tif 000003
【図２】
2004108067.tif 000004
【図３】
2004108067.tif 000005
【図４】
2004108067.tif 000006
【図５】
2004108067.tif 000007